(57)【要約】【課題】着脱が容易で首回り部分のサイズの調整が簡単にきるよだれかけを提供する。【解決手段】任意の位置に結び目１２を作ることができる第１帯部１３と、作った結び目を通して係止するための切れ目１４が設けられた第２帯部１５と、赤ちゃんの首回りから胸に掛けて沿わせる前かけ部分１６とが一体に形成されたよだれかけ１１であって、第１帯部の結び目の形成位置を長さ方向に沿って変えることにより、結び目を切れ目に係止したときの、首回り部分１７のサイズを赤ちゃんの首回りに応じて調整できる構成である。【選択図】図５
0003210489.tif 000002
【実用新案登録請求の範囲】
【請求項１】
任意の位置に結び目を作ることができる第１帯部と、作った前記結び目を通して係止するための切れ目が設けられた第２帯部と、赤ちゃんの首回りから胸に掛けて沿わせる前かけ部分とが一体に形成されたよだれかけであって、
前記第１帯部の前記結び目の形成位置を長さ方向に沿って変えることにより、当該結び目を前記切れ目に係止したときの、首回り部分のサイズを赤ちゃんの首回りに応じて調整できる構成であること
を特徴とするよだれかけ。
【請求項２】
前記第１帯部の内周側の縁部と、前記第２帯部の内周側の縁部と、前記前かけ部分の上部の縁部とが一連で湾曲形状に形成されて前記首回り部分を構成し、
前記第１帯部の長さが、前記第２帯部の長さよりも長く形成されており、
前記結び目の前記切れ目への係止状態が、リボンで装飾したようなリボン形状に形成されること
を特徴とする請求項１に記載のよだれかけ。
【請求項３】
前記第１帯部の先端部及び前記第２帯部の先端部は、幅方向へ膨らむ膨出部を介して曲線状、鈍角状、鋭角状、又は直線状に形成されており、
前記結び目の前記切れ目への係止状態において、前記リボンで装飾したようなリボン形状を前記先端部同士が醸し出す構成であること
を特徴とする請求項２に記載のよだれかけ。
【考案の詳細な説明】
【技術分野】
【０００１】
本考案は、赤ちゃんの首回りから胸の部分に掛けて装着するよだれかけに関するものである。
【背景技術】
【０００２】
従来から広く知られているよだれかけは、綿素材などの肌触りが良好な布製材料で形成されており、赤ちゃんの首回りから胸に掛けて沿わせる前かけ部分の上部に、一対の紐が設けられている。
【０００３】
このような構成のよだれかけは、赤ちゃんの首回りから胸の部分に沿わして、首の後で、両方の紐同士を結んで使用する。
【０００４】
また、従来のよだれかけとして、実用新案登録第３１１５１１１号公報に開示された幼児用エプロンが知られている。この幼児用エプロンは、フロントシートの上部に首へ巻く一対の巻回シートが設けられており、巻回シートの先端の近傍には、それぞれ面ファスナーが取り付けられている。また、フロントシートの下部には食べこぼし等を受け止めるポケットが設けられている（特許文献１参照）。
【０００５】
このような構成の幼児用エプロンは、赤ちゃんの首回りから胸の部分に沿わして、両方の巻回シートを首に巻き、面ファスナー同士を係止する。そして、フロントシートを広げて、ポケットを開口させた状態にセットする。
【先行技術文献】
【特許文献】
【０００６】
【特許文献１】実用新案登録第３１１５１１１号公報
【考案の概要】
【考案が解決しようとする課題】
【０００７】
この従来から広く知られているよだれかけは、赤ちゃんの首の後で、蝶結びの要領で紐を結わくので、その手間が意外と煩雑であり、また、首回りサイズの調整に手間取ることがある。
特に、赤ちゃんは予想外の動きをするので、紐が引っ張られてうまく結べなかったり、固結びになったり、あるいは紐が首に食い込んだりして厄介である。
そして、結び方が緩いと、結んだ結び目が解けてしまうことがあるという様々な欠点を有している。
【０００８】
また、幼児用エプロンにおいては、面ファスナーの表面に糸クズなどのゴミが絡み付き易く、見た目が悪いだけでなく係止力が低下する。この場合は、赤ちゃんの引っ張り動作によって、面ファスナー同士の係止状態が外れる恐れがあるという様々な欠点を有している。
【０００９】
従って、従来例における場合においては、よだれかけの装着や、首回りサイズの調整を素早く簡単にかつ確実に行うことと、引っ張られても取れにくく、首に食い込まないこととに解決しなければならない課題を有している。
【課題を解決するための手段】
【００１０】
前記従来例の課題を解決するための本考案の要旨は、任意の位置に結び目を作ることができる第１帯部と、作った前記結び目を通して係止するための切れ目が設けられた第２帯部と、赤ちゃんの首回りから胸に掛けて沿わせる前かけ部分とが一体に形成されたよだれかけであって、前記第１帯部の前記結び目の形成位置を長さ方向に沿って変えることにより、当該結び目を前記切れ目に係止したときの、首回り部分のサイズを赤ちゃんの首回りに応じて調整できる構成としたことである。
【００１１】
前記第１帯部の内周側の縁部と、前記第２帯部の内周側の縁部と、前記前かけ部分の上部の縁部とが一連で湾曲形状に形成されて前記首回り部分を構成し、前記第１帯部の長さが、前記第２帯部の長さよりも長く形成されており、前記結び目の前記切れ目への係止状態が、リボンで装飾したようなリボン形状に形成されることである。
また、前記第１帯部の先端部及び前記第２帯部の先端部は、幅方向へ膨らむ膨出部を介して曲線状、鈍角状、鋭角状、又は直線状に形成されており、前記結び目の前記切れ目への係止状態において、前記リボンで装飾したようなリボン形状を前記先端部同士が醸し出す構成としたことである。
【考案の効果】
【００１２】
本考案に係るよだれかけによれば、第１帯部に結び目を作ってから、第２帯部の切れ目に結び目を通して係止させれば、よだれかけを素早く簡単に赤ちゃんの首回りへ装着することができる。
また、第１帯部の結び目の形成位置を長さ方向に沿って変えることによって、首回り部分のサイズを赤ちゃんの首回りに応じて調整できる。
結び目は切れ目に引っ掛かっているので、赤ちゃんの引っ張り動作では外れにくい。しかしながら、大人が第２帯部を持ち上げて、結び目を通すように切れ目をズラせば、係止状態が解除されて取り外すことができる。
つまり、よだれかけの着脱が素早く簡単にかつ確実に行えるのである。
また、第１帯部及び第２帯部は、所要幅の帯形状なので、赤ちゃんがよだれかけを引っ張っても首に食い込むことがなく、肌に優しくフィットするという種々の優れた効果を奏する。
【００１３】
結び目の切れ目への係止状態が、リボンで装飾したようなリボン形状に形成されることによって、赤ちゃんの後ろ姿にリボンの装飾模様が可愛く映えて、よだれかけを楽しく使うことができるという優れた効果を奏する。
【００１４】
第１帯部の先端部及び第２帯部の先端部は、幅方向へ膨らむ膨出部を介して曲線状、鈍角状、鋭角状、又は直線状に形成されており、結び目の切れ目への係止状態において、リボンで装飾したようなリボン形状を先端部同士が醸し出す構成であることによって、赤ちゃんの後ろ姿にリボンの装飾模様が引き立って見え、可愛い姿をさらに印象付けることができるという優れた効果を奏する。
【図面の簡単な説明】
【００１５】
【図１】本考案に係るよだれかけ１１の斜視図である。
【図２】本考案に係るよだれかけ１１の正面図である。
【図３】本考案に係るよだれかけ１１の背面図である。
【図４】第１帯部１３に結び目１２を作った状態のよだれかけ１１の正面図である。
【図５】結び目１２を切れ目１４に係止した状態のよだれかけ１１の正面図である。
【図６】結び目１２を切れ目１４に係止した状態のよだれかけ１１の正面図である。
【図７】後方から見た結び目１２の係止状態を示すよだれかけ１１の参考図である。
【考案を実施するための形態】
【００１６】
次に、本考案の実施の形態について図面を参照しながら説明する。まず、図１から図３において、符号１１はよだれかけを示し、このよだれかけ１１は、任意の位置に結び目１２（図４参照）を作ることができる第１帯部１３と、作った結び目１２を通して係止するための切れ目１４が設けられた第２帯部１５と、赤ちゃんの首回りから胸に掛けて沿わせる前かけ部分１６とから構成される。
【００１７】
よだれかけ１１は、綿素材やガーゼ生地などの肌触りと吸水性が良好な布製材料で一体に形成されている。
【００１８】
前かけ部分１６は、赤ちゃんの首回りから胸に掛けて沿わせる部分であり、上部の縁部１７ａが湾曲形状に形成されて、首回り部分１７の中央部を構成している。また、前かけ部分１６の下部は、レース生地やチュール生地、フリンジなどの装飾材１８が縫着されている。
【００１９】
第１帯部１３は、所要幅の帯形状に形成されており、前かけ部分１６の上部の一方側に連設している。また、第１帯部１３は、第２帯部１５の長さよりも長めに形成されており、任意の位置を結んでやや大きめな結び目１２を作ることができるようになっている（図４参照）。そして、第１帯部１３の内周側の縁部１７ｂは、湾曲形状に形成されて、首回り部分１７の一方側を構成している。
【００２０】
第２帯部１５は、第１帯部１３と同様に所要幅の帯形状に形成されており、前かけ部分１６の上部の他方側に連設している。また、第２帯部１５は、長さ方向に沿った途中の位置にボタンホール型の切れ目１４が形成されており、この切れ目１４は、結び目１２を通して係止するために設けられている（図５及び図６参照）。そして、第２帯部１５の内周側の縁部１７ｃは、湾曲形状に形成されて、首回り部分１７の他方側を構成している。
【００２１】
結び目１２の切れ目１４への係止状態は、図７に示すように、後ろから見てあたかもリボンで装飾したようなリボン形状１９に形成される。従って、赤ちゃんの後ろ姿にリボンの装飾模様が可愛く映えて、よだれかけを楽しく使うことができる。
【００２２】
また、第１帯部１３の先端部１３ａ及び第２帯部１５の先端部１５ａは、図２及び図３に示すように、幅方向へ膨らむ膨出部２０を介して曲線状、鈍角状、鋭角状、又は直線状に形成されている。このような形状の先端部１３ａ、１５ａは、結び目１２の切れ目１４への係止状態において、上述のリボンで装飾したようなリボン形状１９を醸し出すこととなる。従って、赤ちゃんの後ろ姿にリボンの装飾模様が引き立って見え、可愛い姿をさらに印象付けることができる（図７参照）。
【００２３】
以上のように構成されるよだれかけ１１は、第１帯部１３に結び目１２を作ってから（図４参照）、第２帯部１５の切れ目１４に結び目１２を通して係止させて使用する。従って、よだれかけを素早く簡単に赤ちゃんの首回りへ装着することができる（図５及び図６参照）。
また、第１帯部１３の結び目１２の形成位置を長さ方向に沿って変えることによって、図５あるいは図６に示すように、首回り部分１７のサイズを赤ちゃんの首回りに応じて自在に調整できる。
【００２４】
結び目１２は切れ目１４に引っ掛かっているので、赤ちゃんの引っ張り動作では外れにくいが、しかしながら、大人が第２帯部１５を持ち上げて、結び目１２を通すように切れ目１４をズラせば、係止状態が解除されて取り外すことができる。
【００２５】
第１帯部１３及び第２帯部１５は、所要幅の帯形状なので、赤ちゃんがよだれかけを引っ張っても首に食い込まず、肌に優しくフィットする。
【産業上の利用可能性】
【００２６】
本考案のよだれかけ１１は、上述のように、結び目１２の切れ目１４への係止状態が、リボンで装飾したようなリボン形状１９に形成されることが特徴のひとつである。ここで言うリボン形状１９は、図７に示す形状に限定されるものではなく、いわゆる蝶々形、銀杏葉形、半月形、筆先形、三角形等の様々な形の装飾形状が含まれることは勿論である。
【符号の説明】
【００２７】
１１  よだれかけ
１２  結び目
１３  第１帯部
１３ａ先端部
１４  切れ目
１５  第２帯部
１５ａ先端部
１６  前かけ部分
１７  首回り部分
１７ａ、１７ｂ、１７ｃ縁部
１８  装飾材
１９  リボン形状
２０  膨出部
【図１】
0003210489.tif 000003
【図２】
0003210489.tif 000004
【図３】
0003210489.tif 000005
【図４】
0003210489.tif 000006
【図５】
0003210489.tif 000007
【図６】
0003210489.tif 000008
【図７】
0003210489.tif 000009